(57)【要約】      （修正有）【課題】利用者の生体情報を簡易に登録可能なＩＣカードを提供する。【解決手段】ＩＣカードは、通信部２４、記憶部３４、取得部５０、生体情報照合部３２、識別情報照合部３６及び生体情報登録部３８を備える。通信部は、端末装置と通信する。記憶部は、利用者を識別するために予め記憶される識別情報４３及び利用者の生体情報を記憶する生体情報記憶領域４６を有する。取得部は、利用者から生体情報を取得する。生体情報照合部は、取得部が利用者から取得した生体情報と生体情報記憶領域に存する情報とを照合する。識別情報照合部は、生体情報照合部における照合が失敗した場合、利用者が入力した識別情報を通信部を介して端末装置から受信し、利用者が入力した識別情報と記憶部に記憶されている識別情報とを照合する。生体情報登録部は、識別情報照合部における照合が成功した場合、取得部が取得した生体情報を生体情報記憶領域に記憶させる。【選択図】図３
2019139438.tif 000002
【特許請求の範囲】
【請求項１】
端末装置と通信する通信部と、
利用者を識別するために予め記憶される識別情報と利用者の生体情報を記憶する生体情
報記憶領域を有する記憶部と、
利用者から生体情報を取得する取得部と、
前記取得部が利用者から取得した生体情報と前記生体情報記憶領域に存する情報とを照
合する生体情報照合部と、
前記生体情報照合部における照合が失敗した場合、前記通信部を介して前記端末装置か
ら受信する利用者が入力した識別情報と前記記憶部に記憶されている識別情報とを照合す
る識別情報照合部と、
前記識別情報照合部における照合が成功した場合に、前記取得部が取得した生体情報を
前記生体情報記憶領域に記憶させる生体情報登録部と、
を備えるＩＣカード。
【請求項２】
前記識別情報照合部は、前記生体情報照合部において照合が成功した場合、前記記憶部
に記憶されている識別情報を用いた照合を実行しない、
請求項１に記載のＩＣカード。
【請求項３】
前記生体情報登録部は、前記取得部が取得した前記生体情報を新たに前記生体情報記憶
領域に記憶させる場合、前記記憶部に記憶されている識別情報を前記記憶部から消去する
、
請求項１又は２に記載のＩＣカード。
【請求項４】
前記取得部が取得する生体情報は、利用者の指紋情報である、
請求項１乃至３のいずれか一項に記載のＩＣカード。
【請求項５】
前記記憶部が予め記憶する識別情報は、暗証番号である、
請求項１乃至４のいずれか一項に記載のＩＣカード。
【発明の詳細な説明】
【技術分野】
【０００１】
本発明の実施形態は、ＩＣカードに関する。
【背景技術】
【０００２】
一般に、ＩＣカードを利用する利用者の指紋情報などの生体情報を使用して本人認証を
実行する生体認証機能を備えたＩＣカードが普及し始めている。しかしながら、ＩＣカー
ドに埋設されたＩＣ（Integrated Circuit）チップに利用者の生体情報を登録するには、
利用者がＩＣカードを発行する店舗、例えば銀行などに直接赴く必要があり、利用者に不
都合が生じている。
【先行技術文献】
【特許文献】
【０００３】
【特許文献１】特開２００７−２６１１８号公報
【発明の概要】
【発明が解決しようとする課題】
【０００４】
本発明が解決しようとする課題は、利用者の生体情報を簡易に登録可能なＩＣカードを
提供することである。
【課題を解決するための手段】
【０００５】
実施形態によれば、ＩＣカードは、通信部と、記憶部と、取得部と、生体情報照合部と
、識別情報照合部と、生体情報登録部とを備える。通信部は、端末装置と通信する。記憶
部は、利用者を識別するために予め記憶される識別情報と利用者の生体情報を記憶する生
体情報記憶領域を有する。取得部は、利用者から生体情報を取得する。生体情報照合部は
、前記取得部が利用者から取得した生体情報と前記生体情報記憶領域に存する情報とを照
合する。識別情報照合部は、前記生体情報照合部における照合が失敗した場合、前記通信
部を介して前記端末装置から受信する利用者が入力した識別情報と前記記憶部に記憶され
ている識別情報とを照合する。生体情報登録部は、前記識別情報照合部における照合が成
功した場合に、前記取得部が取得した生体情報を前記生体情報記憶領域に記憶させる。
【図面の簡単な説明】
【０００６】
【図１】実施形態に係るＩＣカードの構成の一例を示すブロック図。
【図２】実施形態に係るＩＣカードのハードウェア構成の一例を示すブロック図。
【図３】実施形態に係るＩＣカードの機能構成の一例を示すブロック図。
【図４】実施形態に係るＩＣカードが実行する処理の流れの一例を示すフローチャート。
【図５】実施形態に係るＩＣカードが実行する生体情報登録処理の流れの一例を示すシーケンス。
【発明を実施するための形態】
【０００７】
以下、実施形態に係るＩＣカードを、図面を用いて説明する。なお、以下の説明では、
実施形態に係るＩＣカードは接触型のＩＣカードであるものとして説明するが、非接触型
のＩＣカードであっても良い。
【０００８】
まず、図１を用いてＩＣカード１の構成を説明する。図１は、実施形態に係るＩＣカー
ド１の構成の一例を示す図である。ＩＣカード１は、例えば、プラスチックのカード基材
ＰＴ（カード本体の一例）に、ＩＣモジュール１０を実装して形成されている。すなわち
、ＩＣカード１は、ＩＣモジュール１０と、取得部５０と、照合プロセッサ（図では照合
Ｐｒ）６０と、これらが埋め込まれたカード基材ＰＴとを備える。
【０００９】
ＩＣモジュール１０は、コンタクト部１５と、ＩＣチップ２０とを備える。ＩＣモジュ
ール１０は、例えば、テープ上にＩＣモジュール１０が複数配置されたＣＯＴ（Chip On 
Tape）などの形態で取引されるモジュールである。
【００１０】
取得部５０は、生体情報を取得するセンサの一例であり、生体情報は、指紋情報、静脈
パターン情報、虹彩情報、声紋情報、ＤＮＡ情報などである。例えば、生体情報を指紋情
報とした場合、取得部は、指紋センサであり、利用者の指から指紋情報を取得する。
【００１１】
コンタクト部１５は、ＩＣカード１が動作するために必要な各種信号の端子を有してい
る。ここで、各種信号の端子は、電源電圧、クロック信号、リセット信号などを端末装置
１００から供給される端子、及び、端末装置１００と通信するためのシリアルデ―タ入出
力端子（ＳＩＯ端子）を含む。
【００１２】
ＩＣチップ２０は、例えば、１チップのマイクロプロセッサなどのＬＳＩ（Large Scal
e Integration）である。
【００１３】
また、ＩＣカード１は、コンタクト部１５を介して外部の端末装置１００と通信可能で
ある。ＩＣカード１は、例えば、端末装置１００により送信されたコマンド（処理要求）
を、コンタクト部１５を介して受信し、受信したコマンドに応じた処理（コマンド処理）
を実行する。そして、ＩＣカード１は、コマンド処理の実行結果であるレスポンス（処理
応答）を端末装置１００にコンタクト部１５を介して送信する。端末装置１００は、ＩＣ
カード１と通信する装置であり、例えば、リーダ／ライタ装置を含む装置である。
【００１４】
ＩＣモジュール１０は、取得部５０により取得された利用者の生体情報を、ＩＣモジュ
ール１０内に記憶された生体情報と比較することで、利用者の認証を行い、認証結果をＩ
Ｃモジュール１０に出力する。
【００１５】
以上に説明したように、ＩＣカード１は、端末装置１００と通信し、各種取引を実行す
る。例えば、ＩＣカード１がクレジットカードとして利用される場合、指紋により利用者
の認証を実行し、決算処理を実行することが可能である。
【００１６】
図２は、実施形態に係るＩＣカード１のハードウェア構成の一例を示す図である。図２
に示すように、ＩＣカード１は、コンタクト部１５と、ＩＣチップ２０とを備えたＩＣモ
ジュール１０を備えている。そして、ＩＣチップ２０は、通信部２４と、ＣＰＵ２５と、
ＲＯＭ（Read Only Memory）２６と、ＲＡＭ（Random Access Memory）２７と、ＥＥＰＲ
ＯＭ（Electrically Erasable Programmable ROM）２８とを備える。これらの構成要素は
、内部バスＢＳ１を介して接続されている。
【００１７】
通信部２４は、例えばＵＡＲＴ（Universal Asynchronous Receiver Transmitter）で
あり、上述したＳＩＯ端子を介して、端末装置１００とシリアルデータ通信を行う。通信
部２４は、ＳＩＯ端子を介して受信したシリアルデータ信号をパラレル変換したデータ（
例えば、１バイトのデータ）を内部バスＢＳ１に出力する。また、通信部２４は、内部バ
スＢＳ１を介して取得したデータをシリアル変換して、ＳＩＯ端子を介して端末装置１０
０に出力する。通信部２４は、例えば、ＳＩＯ端子を介してコマンドを端末装置１００か
ら受信する。また、通信部２４は、ＳＩＯ端子を介してレスポンスを端末装置１００に送
信する。
【００１８】
ＣＰＵ２５は、記憶部に記憶されているプログラムを実行して、ＩＣカード１の各種処
理を行う。ＣＰＵ２５は、例えば、コンタクト部１５を介して、通信部２４が受信したコ
マンドに応じたコマンド処理を実行する。
【００１９】
ＲＯＭ２６は、例えば、マスクＲＯＭなどの不揮発性メモリである。ＲＯＭ２６は、Ｉ
Ｃカード１の各種処理を実行するためのプログラム、及びコマンドテーブルなどのデータ
を記憶する。
【００２０】
ＲＡＭ２７は、例えば、ＳＲＡＭ（Static RAM）などの揮発性メモリである。ＲＡＭ２
７は、ＩＣカード１の各種処理を行う際に利用されるデータを一時記憶する。
【００２１】
ＥＥＰＲＯＭ２８は、例えば、電気的に書き換え可能な不揮発性メモリである。ＥＥＰ
ＲＯＭ２８は、ＩＣカード１が利用する各種データを記憶する。ＥＥＰＲＯＭ２８は、例
えば、ＩＣカード１を利用した各種サービス（アプリケーション）に使用される情報を記
憶する。
【００２２】
更に、内部バスＢＳ１には、照合プロセッサ６０が接続されている。照合プロセッサ６
０は、例えば、ＣＰＵとプログラムメモリとを含む。照合プロセッサ６０は、専用線など
で取得部５０と接続され、取得部５０が生体情報を取得可能な状態（通電状態）であるか
否かを検知することができる。例えば、取得部５０が指紋センサである場合、指紋センサ
上に利用者の指が触れ、指紋センサが通電した場合に、照合プロセッサ６０は、指紋セン
サが指紋情報を取得可能な状態であると判定する。指紋センサは、静電容量型、感熱型、
光学型などのうちいずれかの方式で利用者の指紋情報を取得する。
【００２３】
図３は、実施形態におけるＩＣカード１の機能構成図である。ＩＣカード１は、例えば
、上述した通信部２４及び取得部５０と、処理部３０と、記憶部４０とを備える。
【００２４】
処理部３０は、例えば、生体情報照合部３２と、識別情報照合部３６と、コマンド処理
部３４と、生体情報登録部３８とを備える。
【００２５】
コマンド処理部３４、生体情報照合部３２、識別情報照合部３６、生体情報登録部３８
は、例えば、ＣＰＵ２５が記憶部４０に記憶されたプログラム４４を実行することで実現
される。
【００２６】
記憶部４０は、例えば、ＥＥＰＲＯＭ２８により実現される。記憶部４０には、利用者
を識別するために予め記憶される識別情報４３と、プログラム４４とが記憶される。また
、記憶部４０は、利用者の生体情報を記憶する生体情報記憶領域４６を有する。
【００２７】
処理部３０が有するコマンド処理部３４は、通信部２４を介して端末装置１００から受
信するコマンド（処理要求）に応じて、各種コマンドの処理（コマンド処理）を実行する
。また、コマンド処理部３４は、コマンド処理の結果であるレスポンスを、通信部２４を
介して端末装置１００に送信する。コマンド処理部３４は、後述する照合の成功（本人認
証の成功）を条件とするコマンド処理に関しては、生体情報照合部３２からの認証成功通
知がなされた場合に、すなわち記憶部４０におけるセキュアな領域へのアクセスが許可さ
れた場合に、処理を先に進める。
【００２８】
生体情報照合部３２は、取得部５０によって取得された生体情報と、記憶部４０の生体
情報記憶領域４６に存する情報とを照合し、照合に成功した場合、本人認証が成功したと
判定する。生体情報照合部３２による照合とは、例えば取得部５０によって取得された生
体情報と記憶部４０の生体情報記憶領域４６に存する情報との一致程度を示す値が閾値以
上であることを意味する。生体情報照合部３２による照合が成功し、すなわち本人認証が
成功すると、コマンド処理部３４に対して記憶部４０におけるセキュアな領域へのアクセ
スを許可し、所定の処理を実行可能な状態となる。なお、本実施例では、処理部３０が生
体情報照合部３２を有するとしているが、照合プロセッサ６０が生体情報照合部３２を有
するとしても良い。
【００２９】
記憶部４０に予め記憶されている識別情報４３は、利用者の本人認証に使用するための
情報である。例えば、ＩＣカード１を発行する会社が利用者本人にのみ通知する文字や数
字、記号からなるＰＩＮ（Personal Identification Number）コードや暗証番号である。
【００３０】
識別情報照合部３６は、通信部２４を介して端末装置１００から受信する利用者が入力
した識別情報４３と記憶部４０に予め記憶されている識別情報４３とを照合する。識別情
報照合部３６による照合とは、例えば通信部２４を介して端末装置１００から受信する利
用者が入力した識別情報４３と記憶部４０に予め記憶されている識別情報４３とが一致す
ることを意味する。識別情報照合部３６による照合が成功し、すなわち本人認証が成功す
ると、コマンド処理部３４に対して記憶部４０におけるセキュアな領域へのアクセスを許
可し、所定の処理を実行可能な状態となる。
【００３１】
生体情報記憶領域４６には、識別情報照合部３６による本人認証に成功した利用者の生
体情報が記憶される。生体情報記憶領域４６に記憶された生体情報は、取得部５０により
新たに取得された生体情報との照合対象となる情報であり、例えば取得部５０が指紋セン
サの場合、指紋センサが取得する指紋の形状パターンを幾何情報にした情報、または何ら
かの特徴量に変換した情報、或いはこれらの組み合わせなどである。
【００３２】
生体情報登録部３８は、識別情報照合部３６による照合が成功した場合に、取得部５０
が取得した生体情報を生体情報記憶領域に記憶させる。また、生体情報登録部３８は、取
得部５０が取得した生体情報を生体情報記憶領域４６に記憶させる場合、記憶部４０に記
憶されている識別情報４３を記憶部４０から消去するとしても良い。
【００３３】
次に、図４を用いて、処理部３０により実行される処理の流れを説明する。図４は、実
施形態に係るＩＣカード１が備える処理部３０が実行する処理の流れの一例を示すフロー
チャートである。
【００３４】
まず、処理部３０は、通信部２４を介して端末装置１００からコマンドを受信するまで
待機する（Ｓ１００）。処理部３０は、端末装置１００からコマンドを受信すると（Ｓ１
００、Ｙｅｓ）、生体情報の送信を要求するリクエスト情報を取得部５０に送信する（Ｓ
１０４）。
【００３５】
次に、処理部３０は、取得部５０から生体情報を受信するまで待機する（Ｓ１０６）。
処理部３０は、取得部５０から生体情報を受信した場合（Ｓ１０６、Ｙｅｓ）、取得した
生体情報と生体情報記憶領域４６に存する情報とを照合する（Ｓ１０８）。
【００３６】
処理部３０は、生体情報照合部３２における照合が失敗した場合（Ｓ１１０、Ｎｏ）、
端末装置１００に識別情報４３の送信を要求するリクエスト情報を送信する（Ｓ１１６）
。また、処理部３０は、端末装置１００から利用者が入力する識別情報４３を受信するま
で待機する（Ｓ１１８）。
【００３７】
次に、処理部３０は、端末装置１００から識別情報４３を受信した場合（Ｓ１１８、Ｙ
ｅｓ）、通信部２４を介して端末装置１００から受信する利用者が入力した識別情報４３
と記憶部に記憶されている識別情報４３とを照合する（Ｓ１２０）。処理部３０は、識別
情報照合部３６における照合に成功した場合（Ｓ１２２、Ｙｅｓ）、取得部５０が取得し
た生体情報を生体情報記憶領域４６に記憶させる（Ｓ１２４）。そして、処理部３０は、
ＩＣカード１と端末装置１００との取引を継続させる取引継続のレスポンスを端末装置１
００に送信する（Ｓ１１２）。また、生体情報照合部３２における照合に成功した場合（
Ｓ１１０、Ｙｅｓ）にも、取引継続のレスポンスを端末装置１００に送信する（Ｓ１１２
）。
【００３８】
また、処理部３０は、識別情報照合部３６による照合に失敗した場合（Ｓ１２２、Ｎｏ
）、ＩＣカード１と端末装置１００との取引を終了させる取引終了のレスポンスを端末装
置１００に送信する（Ｓ１２６）。
【００３９】
なお、本実施形態の変形例として、処理部３０が有する生体情報登録部３８が、取得部
５０が取得した生体情報を生体情報記憶領域４６に記憶させる場合、記憶部４０に記憶さ
れている識別情報４３を記憶部４０から消去するとした例を説明する。変形例においては
、Ｓ１２４の処理の後に、処理部３０が記憶部４０に記憶されている識別情報４３を記憶
部４０から消去する処理を行う。そして、処理部３０は、取引継続のレスポンスを端末装
置１００に送信する（Ｓ１１２）。
【００４０】
以上に説明した実施形態におけるＩＣカード１によれば、取得部５０が取得した生体情
報がＩＣカード１にまだ登録されていない状態であっても、通信部２４を介して端末装置
１００から受信する利用者が入力した識別情報４３と前記記憶部に記憶されている識別情
報４３との照合に成功すれば、取得部５０が取得した生体情報をＩＣカード１に登録する
ことが可能である。つまり、ＩＣカードを発行する店舗、例えば銀行などに利用者が直接
赴くことなく、簡易に生体情報をＩＣカード１に登録することが可能である。
【００４１】
また、実施形態におけるＩＣカード１によれば、生体情報の本人認証に成功した場合、
識別情報４３を用いた本人認証を省略させることができ、円滑にＩＣカード１を用いた取
引を行うことが可能である。
【００４２】
さらに、以上に説明した本実施形態の変形例におけるＩＣカード１によれば、生体情報
を登録した後にＩＣカード１に記憶されている識別情報４３をＩＣカード１から消去する
ことで、新たに生体情報が登録されるのを防止し、利用者はより安全にＩＣカード１を利
用することができる。
【００４３】
次に、図５を用いて、端末装置１００とＩＣカード１とのシーケンシャル処理について
説明する。図５は、実施形態に係るＩＣカードが実行する生体情報登録処理の流れの一例
を示すシーケンス図である。つまり、図５は、生体情報登録処理である図４における処理
Ｓ１２４を実行する際のシーケンス図である。
【００４４】
まず、端末装置１００は、ＩＣカード１の処理部３０に対して本人認証を要求するコマ
ンドを送信する（Ｓ３００）。
【００４５】
次に、処理部３０は、取得部５０に対して生体情報の送信を要求するリクエスト情報を
送信する（Ｓ３０２）。
【００４６】
これを受けて、取得部５０は、利用者から生体情報を取得し（Ｓ３０４）、予め決めら
れたデータフォーマットと送信周期で生体情報を処理部３０に送信する（Ｓ３０６）。
次に、処理部３０は、取得した生体情報と生体情報記憶領域４６に存する情報とを照合
する（Ｓ３０８）
【００４７】
ここで、処理部３０は、生体情報の照合に失敗し、端末装置１００に対して識別情報４
３の送信を要求するリクエスト情報を送信する（Ｓ３１０）。
【００４８】
これを受けて、端末装置１００は、利用者が入力した識別情報４３を取得し（Ｓ３１２
）、予め決められたデータフォーマットと送信周期で識別情報４３を処理部３０に送信す
る（Ｓ３１４）。
【００４９】
次に、処理部３０は、端末装置１００から受信した識別情報４３と記憶部に記憶されて
いる識別情報４３とを照合する（Ｓ３１６）。
【００５０】
ここで、処理部３０は、識別情報の照合に成功し、取得部５０が取得した生体情報を生
体情報記憶領域４６に記憶させる（Ｓ３１８）。
【００５１】
次に、処理部３０は、取引継続のレスポンスを端末装置１００に送信する（Ｓ３２０）
。なお、処理部３０は、生体情報の照合に成功した場合、記憶部４０に記憶されている識
別情報４３を用いた照合を実行しない。つまり、処理部３０は、Ｓ３１０からＳ３１８ま
での処理を省略する。
【００５２】
なお、本実施形態の変形例として、処理部３０が有する生体情報登録部３８が、取得部
５０が取得した生体情報を生体情報記憶領域４６に記憶させる場合、記憶部４０に記憶さ
れている識別情報４３を記憶部４０から消去するとした例を説明する。変形例においては
、Ｓ３１８の処理の後に、処理部３０が記憶部４０に記憶されている識別情報４３を記憶
部４０から消去する。そして、処理部３０は、取引継続のレスポンスを端末装置１００に
送信する（Ｓ３２０）。
【００５３】
以上に説明した実施形態におけるＩＣカード１によれば、一般に普及されているリーダ
／ライタなどの端末装置１００を一般に普及されているクレジットカードなどのＩＣカー
ドを利用するのと同様に利用することで、簡易的に利用者の生体情報をＩＣカード１に登
録することができる。つまり、実施形態におけるＩＣカード１に生体情報を登録するため
に、一般に普及されているリーダ／ライタなどの端末装置１００を改変する、または専用
端末装置を用意することは不要である。
【００５４】
また、上記した実施形態のＩＣカード１における処理はいくつかのソフトウェアによっ
て実行することが可能である。このため、上記処理の手順を実行するいくつかのプログラ
ムを格納したコンピュータ読み取り可能な記憶媒体を通じてこれらプログラムをＩＣカー
ド１へインストールして実行するだけで、上記処理を容易に実現することができる。例え
ば、ＩＣカード１は、上記プログラムをネットワーク経由でダウンロードし、ダウンロー
ドしたプログラムを記憶し、プログラムのインストールを完了することができる。或いは
、ＩＣカード１は、上記プログラムを情報記憶媒体から読み取り、読み取ったプログラム
を記憶し、プログラムのインストールを完了することができる。
【００５５】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００５６】
１  カード
１０  モジュール
１５  コンタクト部
２０  チップ
２４  通信部
２６  ＲＡＭ
２７  ＲＯＭ
２８  ＥＥＰＲＯＭ
３０  処理部
３２  生体情報照合部
３４  コマンド処理部
３６  識別情報照合部
３８  生体情報登録部
４０  記憶部
４３  識別情報
４４  プログラム
４６  生体情報記憶領域
５０  取得部
６０  照合プロセッサ
１００  端末装置
ＢＳ１  内部バス
ＰＴ  カード基材
【図１】
2019139438.tif 000003
【図２】
2019139438.tif 000004
【図３】
2019139438.tif 000005
【図４】
2019139438.tif 000006
【図５】
2019139438.tif 000007